(57)【特許請求の範囲】
【請求項１】
各家庭に設置する電話機と接続したゲートウェイ装置と、各家庭が接続する通信事業者の事業者ネットワーク内に設置された事業者サーバ群と、上記事業者ネットワークに接続するＩＳＰ事業者が管理するＩＳＰサーバ群とを有し、
上記事業者サーバ群は、上記ゲートウェイ装置を介して上記電話機とＩＰ電話で接続し、
上記ＩＰ電話による経路を介して上記電話機から押下された接続先指定番号により、当該家庭の契約者が接続しようとするＩＳＰ事業者を判別して、上記ゲートウェイ装置に当該ＩＳＰ事業者が管理する当該契約者が使用しようとするユーザ名と接続パスワードを有するアカウント情報データベースへ問い合わさせて、
上記ゲートウェイ装置は上記問い合わせにより上記ユーザ名と接続パスワードを取得して、上記ＩＳＰサーバ群に対してインターネット接続認証を行う、
各家庭のインターネット接続をシステムが設定可能とする、接続自動化システム。
【請求項２】
上記事業者サーバ群は、上記ＩＰ電話による経路を介して上記電話機から押下された接続先指定番号により、上記契約者が接続しようとする上記ＩＳＰ事業者を確認した上で、上記ＩＳＰ事業者の上記アカウント情報データベースのアドレスを上記ゲートウェイ装置に送信することで、上記ゲートウェイ装置が上記アカウント情報データベースへの問い合わせを可能とする、請求項１に記載の接続自動化システム。
【請求項３】
上記ゲートウェイ装置は、
ＤＨＣＰクライアントとしてＩＰアドレス及び自身の契約者固定番号を取得してＩＰ電話の設定を行う初期登録手段と、
当該ＩＰ電話の経路を介して、上記通信事業者が上記ＩＳＰ事業者を識別するために付与した接続先指定番号を上記電話機から押下された情報として取得して、上記事業者サーバ群の接続先管理データベースに対して問い合わせ、接続先となる上記ＩＳＰ事業者の上記アカウント情報データベースのアドレスを取得する接続先アドレス取得手段と、
当該契約者であることを識別するために契約者に付与する契約時設定識別番号を上記電話機から押下された情報として取得して、上記ＩＳＰサーバ群の上記アカウント情報データベースに対して問い合わせ、上記ＩＳＰサーバ事業者によるインターネット接続認証のためのユーザ名及び接続パスワードを取得するアカウント情報取得手段と、
の各手段を実行可能な自動設定機能部と、
上記事業者サーバ群が有するＳＩＰサーバに対してＳＩＰ登録をして通話可能状態にし、これにより確立した通信経路を介して上記事業者サーバ群が有する遠隔設定指示部からユーザ情報を受け取るＳＩＰ制御部と、
上記ＩＰ電話の設定、及び上記ユーザ名並びに接続パスワードを含むユーザ情報を登録する設定情報保存データベースと、
上記ＩＳＰサーバ群が有する接続認証サーバに対して上記ユーザ名及び接続パスワードによりインターネット接続要求を行う接続認証制御部と、
指定されたＨＴＴＰ通信を中継するＨＴＴＰ制御部と、
を有し、
上記ＩＳＰサーバ群として、
上記契約者のＩＰ電話における契約者固定番号、及び、当該契約者であることを識別するために契約者に付与する契約時設定識別番号と、当該契約者に割り当てるユーザ名及び接続パスワードとを関連付けて、応答可能に登録する上記アカウント情報データベースと、
上記ゲートウェイ装置からのインターネット接続要求に対してインターネット接続認証を行う上記接続認証サーバと、
を有し、
上記事業者サーバ群として、
上記ゲートウェイ装置にＩＰアドレスと契約者固定番号を付与するＤＨＣＰサーバと、
上記ＳＩＰ制御部との間でＳＩＰ接続を行うＳＩＰサーバと、
上記ＳＩＰサーバによる上記通信経路を介して、接続シーケンスの進行段階に応じて、着信した上記電話機へ音声ガイダンスにより所定の番号の押下送信を指示する遠隔設定指示部と、
上記電話機から上記自動設定機能部を経由して送信される上記接続先指定番号に対応する、上記アカウント情報データベースのアドレスを応答可能に登録する接続先管理データベースと、
を有する、
各家庭のインターネット接続をシステムが設定可能とする、請求項２に記載の接続自動化システム。
【請求項４】
上記自動設定機能部は、接続シーケンスの進行段階に応じた進行度の情報を、上記遠隔設定指示部に送信し、
上記遠隔設定指示部は、当該進行度に応じた上記音声ガイダンスを行う、請求項３に記載の接続自動化システム。
【請求項５】
家庭に設置可能であって、電話を接続可能であり、
通信事業者の事業者ネットワークに接続されて、ＩＳＰ事業者を介したインターネット接続サービスを利用可能なゲートウェイ装置であって、
ＤＨＣＰクライアントとして上記事業者ネットワークからＩＰアドレス及び自身の契約者固定番号を取得してＩＰ電話の設定を行う初期登録手段と、
当該ＩＰ電話の経路を介して、上記通信事業者が上記ＩＳＰ事業者を識別するために付与した接続先指定番号を上記電話機から押下された情報として取得して、上記事業者が管理する接続先管理データベースに対して問い合わせ、接続先となる上記ＩＳＰ事業者のアカウント情報データベースのアドレスを取得する接続先アドレス取得手段と、
当該契約者であることを識別するために契約者に付与する契約時設定識別番号を上記電話機から押下された情報として取得して、上記ＩＳＰ事業者が管理するアカウント情報データベースに対して問い合わせ、上記ＩＳＰ事業者によるインターネット接続認証のためのユーザ名及び接続パスワードを取得するアカウント情報取得手段と、
の各手段を実行可能な自動設定機能部と、
上記事業者ネットワークのＳＩＰサーバに対してＳＩＰ登録をして通話可能状態にし、これにより確立した通信経路を介して上記事業者サーバ群が有する遠隔設定指示部からユーザ情報を受け取るＳＩＰ制御部と、
上記ＩＰ電話の設定、及び上記ユーザ名並びに接続パスワードを含むユーザ情報を登録する上記設定情報保存データベースと、
上記ＩＳＰ事業者が有する接続認証サーバに対して上記ユーザ名及び接続パスワードによりインターネット接続要求を行う接続認証制御部と、
指定されたＨＴＴＰ通信を中継するＨＴＴＰ制御部と、
を有する、ゲートウェイ装置。
【発明の詳細な説明】
【技術分野】
【０００１】
この発明は、家庭や営業所に配布されるゲートウェイ装置によるインターネット接続の設定に関する。
【背景技術】
【０００２】
家庭での固定回線におけるインターネット接続設定は、慣れていない人間には多大な困難を伴う作業であった。現状はユーザ自身が、各家庭に設置したインターネット接続用のホームゲートウェイ装置の設定を行うことが多い。しかし、ほとんどのホームゲートウェイ装置にはディスプレイが無く、多くの場合にはパソコンやスマートフォン、タブレットなどの端末からホームゲートウェイ装置に有線又は無線を介してアクセスし、その端末上で接続先名、ユーザ名、パスワードなどの情報を入力しなければならない。ところが所定の画面を呼び出し、所定の箇所にそれらの情報を入力することは、初めて見る人間にはそこで諦めることもあるほど難しい作業となる。
【０００３】
これを解決するために、光ディスクに自動設定ツールを記録し、有線でホームゲートウェイと接続したパソコンにその光ディスクを挿入させ、自動再生で起動する自動設定ツールによってほとんどの設定を自動化できる手段が提案されている（特許文献１，非特許文献１等）。また、自動設定ツールをネットワークからダウンロードして遠隔設定を行う手段が提案されている（特許文献２）。
【０００４】
これとは別に、外出先から会社や自宅のパソコンなどを起動するために、電話番号とMACアドレスとを紐付けて登録するとともに、外出先から掛けた発呼の着信先番号（ダイヤルインやサブアドレスを含む）により、会社や自宅に設置した対象機器を割り当てて、電話回線経由で外部からＰＣの遠隔起動をする手段が提案されている（特許文献３）。
【先行技術文献】
【特許文献】
【０００５】
【特許文献１】特開２００１−３０６４３０号公報
【特許文献２】特開平１１−３３８８０５号公報
【特許文献３】特開２００９−２９６０５７号公報
【非特許文献】
【０００６】
【非特許文献１】ＮＴＴ東日本、"フレッツ 光ネクスト サポート情報"、[online]、［平成２７年３月２６日検索］、インターネット＜ＵＲＬ：https://flets.com/customer/next/access/cd/e01/＞
【発明の概要】
【発明が解決しようとする課題】
【０００７】
しかしながら、特許文献１や非特許文献１の手段では、画面の呼び出しやアドレスに入力などは省くことができるが、それでもユーザ名などの最低限の情報はどうしても画面上で入力しなければならなかった。
【０００８】
このようなユーザに対して、通信事業者やインターネットサービスプロバイダ（ＩＳＰ）等の事業者が設定サポートを用意している。しかし、ホームゲートウェイの設定が終わるまでは遠隔でそのホームゲートウェイにアクセスする手段がない。このため、特許文献２の方法は最初のネットワークが開通するまでは使えないと言う問題があった。また、特許文献３において遠隔で行える処理は起動などの単純なものに限られており、設定値の入力などの細かい作業を外部から行うことはできなかった。
【０００９】
必然的に、担当者が各家庭である現地にまで赴いた上でユーザの設定作業を代行しなければならず、その分ユーザ又は事業者が余分なコストと時間を割くことになっていた。
【００１０】
そこでこの発明は、担当者が訪問しなくても、ユーザが行う手間を極力省いてインターネットへの接続設定が完了できるようにすることを目的とする。
【課題を解決するための手段】
【００１１】
この発明は、
各家庭において設定不要で接続できるＩＰ電話によりゲートウェイ装置と事業者が管理する事業者サーバ群との間で確立した通信経路を介して、電話の特番を押下する信号を事業者側へ送ってこれを接続シーケンスの契機とし、
事業者サーバ群が中継するＩＳＰサーバ群は当該家庭に割り当てられる契約者固定電話の番号を参照キーとして、契約時に設定して保管しておいた当該契約者固定番号に対応するユーザ名及び接続パスワードを上記ゲートウェイ装置へ送り、
上記ゲートウェイ装置が取得したユーザ名及び接続パスワードを自身のユーザ情報として設定することで、インターネット接続に必要な情報の登録を完了させるシステムにより上記の課題を解決したのである。
【００１２】
具体的にこの発明にかかる接続自動化システムは、各家庭に設置するユーザの電話機と接続したゲートウェイ装置と、各家庭と接続している通信事業者の事業者ネットワーク内に設置された事業者サーバ群と、事業者ネットワークに接続されたＩＳＰ事業者が管理するＩＳＰサーバ群とを有する。
【００１３】
このうち、ゲートウェイ装置は、
ＤＨＣＰクライアントとしてＩＰアドレス及び自身の契約者固定番号を取得してＩＰ電話の設定を行い、当該ＩＰ電話の経路を介して上記事業者サーバ群及び上記ＩＳＰサーバ群との通信を制御してインターネット接続認証のためのユーザ名及び接続パスワードを取得する自動設定機能部と、
上記事業者サーバ群が有するＳＩＰサーバに対してＳＩＰ登録をして通話可能状態にし、これにより確立した通信経路を介して上記事業者サーバ群が有する遠隔設定指示部からユーザ情報を受け取るＳＩＰ制御部と、
上記ＩＰ電話の設定、及び上記ユーザ名並びに接続パスワードを含むユーザ情報を登録する設定情報保存データベースと、
上記ＩＳＰサーバ群が有する接続認証サーバに対して上記ユーザ名及び接続パスワードにより接続要求を行う接続認証制御部と、
指定されたＨＴＴＰ通信を中継するＨＴＴＰ制御部と、
を有する。
【００１４】
次に、上記事業者サーバ群としては、
上記ゲートウェイ装置にＩＰアドレスと契約者固定番号を付与するＤＨＣＰサーバと、
上記ＳＩＰ制御部との間でＳＩＰ接続を行うＳＩＰサーバと、
上記ＳＩＰサーバによる上記通信経路を介して、接続シーケンスの進行段階に応じて、着信した上記電話機へ音声ガイダンスにより所定の番号の押下送信を指示する遠隔設定指示部と、
上記電話機から上記自動設定機能部を経由して送信される接続先指定番号に対応する、アカウント情報データベースのアドレスを応答可能に登録する接続先管理データベースと、
を有する。
【００１５】
さらに、上記ＩＳＰサーバ群としては、
サービス提供先であるユーザの契約者固定番号、及び、当該契約者であることを識別するために契約者に付与する契約時設定識別番号と、当該ユーザに割り当てるユーザ名及び接続パスワードとを関連付けて応答可能に登録するアカウント情報データベースと、
上記ゲートウェイ装置からの接続要求に対してインターネット接続認証を行う上記接続認証サーバと、
を有する。
【００１６】
上記ゲートウェイ装置の上記自動設定機能部は、上記ＨＴＴＰ制御部を介して、上記電話機から指定された接続先指定番号を上記接続先管理データベースへ問い合わせ、上記アカウント情報データベースのアドレスを取得する接続先アドレス取得手段と、
上記アカウント情報データベースのアドレスを宛先として、上記ゲートウェイ装置自身に割り当てられた上記契約者固定番号と上記電話機から指定された契約時設定識別番号とを送信して、上記ユーザ名及び接続パスワードを取得するアカウント情報取得手段と、
を有する。
【００１７】
これらの構成要素による接続確立方法は次のようになる。
各家庭に設置されて物理的にネットワークに接続された上記ゲートウェイ装置は、起動後に上記自動設定機能部の初期登録手段により上記ＤＨＣＰサーバに接続して上記ＩＰアドレスと上記契約者固定番号とを取得する。この取得した情報は上記設定情報保存データベースに登録する。
上記ＳＩＰ制御部は上記契約者固定番号とともに上記ＳＩＰサーバに対して利用登録を行い、ＩＰ電話による通話を可能にして通信経路を確立する。
上記ゲートウェイ装置に接続される電話機はこの上記契約者固定番号を有してＩＰ電話の通信を行う。契約者である当該家庭のユーザは、ＩＳＰ事業者との契約を踏まえて書面などで通知された、上記事業者サーバ群の上記遠隔設定指示部に接続するための電話番号を宛先として発呼する。上記遠隔設定指示部は上記電話機と通話状態になったら、音声ガイダンスにより所定の番号として、予め通知された上記接続先指定番号を電話機で押下するように伝える。この上記接続先指定番号は、通信事業者が接続を仲介するＩＳＰ事業者を指定するための番号であり、ＩＳＰ事業者との契約を踏まえて、予め書面などでユーザに通知済みであり、通信事業者が管理する接続先管理データベースを参照することで、それぞれのＩＳＰ事業者が管理するアカウント情報データベースのアドレスを取得可能になっている。
【００１８】
上記電話機から上記接続先指定番号が通知されたら、上記ゲートウェイ装置の上記自動設定機能部は、当該接続先指定番号を上記遠隔設定指示部へそのまま中継せずに、上記ＨＴＴＰ制御部を介して、上記接続先管理データベースへ問い合わせる上記接続先アドレス取得手段を実行する。上記接続先管理データベースはこの問い合わせに対して、対応するＩＳＰ事業者へ自動接続するための上記アカウント情報データベースのアドレスを返送する。上記自動設定機能部は上記アカウント情報データベースのアドレスを取得したら、その旨を上記ＳＩＰ制御部及びＳＩＰサーバを介して上記遠隔設定指示部へ通知する。なお、この状態でＩＰ電話はまだ通話状態である。上記遠隔設定指示部はその通知を受けると、上記電話機へ音声ガイダンスにて所定の番号として上記契約時設定識別番号を押下送信するように指示する。この契約時設定識別番号は意図しない設定を防ぐために予め設定される番号であり、これが入力されない限り、契約者固定番号を偽っていても設定登録が出来ないようになっている。
【００１９】
この契約時設定識別番号が上記電話機から送信されたら、上記ゲートウェイ装置の上記自動設定機能部は、自身に設定されている上記契約者固定番号と上記契約時設定識別番号とを併せて、上記ＨＴＴＰ制御部を介して、既に取得した上記アカウント情報データベースのアドレス宛に、取得要求を送信する上記アカウント情報取得手段を実行する。上記アカウント情報データベースは、上記契約者固定番号と上記契約時設定識別番号が一致していることを確認した上で、当該契約者に割り当てる上記ユーザ名と上記接続パスワードとを上記ゲートウェイ装置へ返送する。
【００２０】
上記ゲートウェイ装置の上記自動設定機能部は、取得した上記ユーザ名と上記接続パスワードを自身が管理する上記設定情報保存データベースに登録する。上記接続認証制御部は、この上記ユーザ名と上記接続パスワードにより、上記接続認証サーバへ接続要求を行う。上記ＩＳＰ事業者が管理する上記接続認証サーバはこの上記ユーザ名と上記接続パスワードにより上記ゲートウェイ装置を認証し、インターネット接続を完了する。
【発明の効果】
【００２１】
この発明により、ユーザは上記電話機において指定された番号を入力するだけで、パソコンやタブレット、スマートフォンなどの画面やキーボードを一切触ることなく、インターネット接続設定が完了し、以後はパソコンなどでブラウザを起動するだけでインターネット接続サービスを享受することができる。これにより、通信事業者やＩＳＰ事業者はユーザ宅へスタッフを派遣することなく、接続設定に不慣れなユーザに対してもサービスを提供することができる。また、より低コストでのサービスの提供が可能となる。
【図面の簡単な説明】
【００２２】
【図１】この発明にかかる接続自動化システムの機能ブロック図
【図２】設定情報保存データベースのユーザ名及び接続パスワードを含むテーブル例図
【図３】接続先管理データベースのテーブル例図
【図４】アカウント情報データベースのテーブル例図
【図５】この発明にかかる接続自動化システムを実施するシーケンス例図
【図６】図５の続きとなるシーケンス図
【図７】図６の続きとなるシーケンス図
【図８】ゲートウェイ装置の処理分岐を中心としたフロー例図
【図９】遠隔設定指示部の進行度に応じた処理分岐を中心としたフロー例図
【図１０】この発明にかかるシステムを実行した例を示すフロー例図
【図１１】図１０の続きのフロー例図
【発明を実施するための形態】
【００２３】
以下、この発明について実施形態の例を示して詳細に説明する。
この発明は、各家庭に設置される端末１０でインターネット接続を行えるようにするための設定を、簡便に行うためのシステムである。この発明にかかるシステムの構成を図１に示す。各家庭には端末１０及び電話機１１と接続されたゲートウェイ装置１２とが設けられる。これらは家庭内ネットワーク１３を形成する。ゲートウェイ装置１２は、事業者ネットワーク１４にある事業者サーバ群１５と接続可能であり、かつ、事業者ネットワーク１４を介して、ＩＳＰサーバ群１６と接続可能であり、さらにはインターネット１７と接続可能である。
【００２４】
端末１０とはパソコン、タブレット、スマートフォン、テレビなど、ネットワークインターフェースを有し、ＩＰ接続可能でインターネットサービスを享受できる端末である。この発明にかかるゲートウェイ装置及びシステムではこれらを介した設定を行わずに、インターネットサービスのための認証設定を行う。
【００２５】
電話機１１は一般的なプッシュ式ボタンのある電話であればよい。これは、最低限の情報を番号の押下により指定、入力する必要があるからである。この発明にかかるゲートウェイ装置１２を介して、ＩＰ電話として動作する。入力する内容は、電話番号を入力して発呼する他に、通常の通信とは別に本発明で必要とする情報を伝達するための特番の指定が可能である。例えば♯キーの後に接続シーケンスの進行を示す番号を入力し、その後に後述する接続先指定番号や契約時設定識別番号などを入力することで、ゲートウェイ装置１２に対しての必要最低限の操作を行うことができる。
【００２６】
ゲートウェイ装置１２は、家庭内ネットワーク１３と事業者ネットワーク１４とを区切るゲートウェイであり、インターネット接続のための設定情報を保有し、接続の認証や接続完了後の中継を行う一般的なホームゲートウェイとして必要な機能を有し、そのための処理部や記憶部、ネットワークインターフェース等の一般的なハードウェアを有している。ただしこれらは図中では略記する。その上で、この発明の効果を発揮するため、次のような機能部を有する。これらは主にソフトウェアとして記憶部に登録され、処理部により実行される。
【００２７】
ゲートウェイ装置１２は、指定されたＨＴＴＰ通信を中継するＨＴＴＰ制御部２１を有する。中継する通信は端末１０からのものだけでなく、ゲートウェイ装置１２の自動設定機能部２２により送信されるものとその応答も含まれる。
【００２８】
ゲートウェイ装置１２は、ＤＨＣＰクライアントとしてＩＰアドレス及び自身の契約者固定番号を取得してＩＰ電話の設定を行い、当該ＩＰ電話の経路を介して上記事業者サーバ群及び上記ＩＳＰサーバ群との通信を制御して、ＩＳＰ事業者によるインターネット接続認証のためのユーザ名及び接続パスワードを取得して登録する自動設定機能部２２を有する。
【００２９】
より具体的には、次の手段を実行可能である。まず自動設定機能部２２は、事業者ネットワーク１４への接続時に、ＤＨＣＰサーバ３１から自身のＩＰアドレスを取得するとともに、ＩＰ電話のために通信事業者から割り当てられる契約者固定番号を取得する初期登録手段を実行可能である。これにより、インターネット接続サービスを受ける前に、最低限のIP電話の機能と、事業者ネットワーク１４に接続するための環境が整う。ここまではＩＳＰ事業者とは無関係に設定可能である。
【００３０】
また自動設定機能部２２は、ＨＴＴＰ制御部２１を介して、電話機１１から送信された接続先指定番号を接続先管理データベース３４へ問い合わせ、アカウント情報データベース４１のアドレスを取得する接続先アドレス取得手段を実行可能である。上記接続先指定番号は、通信事業者がＩＳＰ事業者を管理するための識別番号である。契約者は任意のＩＳＰ事業者を選択可能であるが、通信事業者は当該契約者がどのＩＳＰ事業者と契約しているかを把握できないため、中継可能なそれぞれのＩＳＰ事業者を識別するための番号を、事業者ごとに割り振り、その番号を電話機のボタンから入力してもらい、その情報を送信してもらうことで、どのＩＳＰ事業者を介して設定登録を行うかを把握することができる。それぞれのＩＳＰ事業者において接続を担当するサーバのアドレスは、ＩＳＰ事業者ごとに異なっており、ゲートウェイ装置１２は初期状態ではこれを把握していない。そのアカウント情報データベース４１のアドレスを取得することで、当該アドレスに対してアクセスし、以降のステップが実行可能となる。
【００３１】
さらに自動設定機能部２２は、アカウント情報データベース４１のアドレスを宛先として、ゲートウェイ装置１２自身に割り当てられた上記契約者固定番号と電話機１１から指定された契約時設定識別番号とを送信して、上記ユーザ名及び接続パスワードを取得するアカウント情報取得手段を実行可能である。
【００３２】
さらにまた自動設定機能部２２は、ゲートウェイ装置１２の設定情報保存データベース２４に、取得した上記ユーザ名及び接続パスワードを登録する設定登録手段を実行可能である。これは従来であれば契約者が自ら書類を参照しながらゲートウェイ装置１２のＷｅｂ−ＧＵＩを介して行っていた登録作業を、自動化するものである。
【００３３】
ゲートウェイ装置１２は、事業者サーバ群１５が有するＳＩＰサーバ３２に対してＳＩＰ登録をして、事業者サーバ群１５が有する遠隔設定指示部３３との間にＩＰ電話による通信経路を確立でき、自動設定機能部２２からの通知を遠隔設定指示部３３に通知するＳＩＰ制御部２３を有する。すなわち、上記の初期登録手段で取得した契約者固定番号を用いて、一般的なＩＰ電話の機能が利用可能であるが、この発明ではさらに、そのＩＰ電話による通信経路を介して、遠隔設定指示部３３に対して、ゲートウェイ装置１２側の設定シーケンスの進行度を通知する進行度通知手段を実行できる。この通知を受けて、遠隔設定指示部３３は次に必要な音声ガイダンスを電話機１１へ送ることができる。
【００３４】
この進行度通知手段の具体的な方式としては、例えばＳＩＰプロトコルにおけるＳＩＰ  ＩＮＶＩＴＥのボディ部のパラメータとして、所定の変数を送信する方式が挙げられる。ただし、通常のＳＩＰ処理と重複しないように、通常のＳＩＰ通信では使用しない、オプション項目として変数を通知すると好ましい。例えば、オプション項目の帯域情報を選択し、帯域種別の帯域として指定する変数を用いる。後述する処理の第一段階で９９１を通知し、第二段階で９９２を通知し、第三段階で９９３を通知する、といった形で、進行度に応じて異なる変数を通知する。
【００３５】
ゲートウェイ装置１２は、上記ＩＰ電話の設定、及び上記ユーザ名並びに接続パスワードを含むユーザ情報を登録する設定情報保存データベース２４を有する。
上記の設定情報保存データベース２４のうち、ＩＰ電話の設定としては、少なくともＩＰアドレスと契約者固定番号とを有する。このうち、ＩＰアドレスはＩＰ電話に限らずＨＴＴＰ制御部２１など、他の通信においても共通で使用されるものであり、それらの設定と共通でもよい。
【００３６】
一方、上記ユーザ名及び接続パスワードは、少なくとも一組を有するようにこの発明にかかる方法によって設定を行う。接続先となるＩＳＰ事業者や契約ごとに複数件が登録可能でもよい。ただし、１つの接続要求において一度に使用するレコードは一つである。このユーザ名及び接続パスワードについてのテーブルの例を図２に示す。「接続先セッションＮｏ．」とは、テーブルにおける管理番号を示し、一件目の登録は基本的にはセッションＮｏ．１に対して行うとよい。二件目以降の登録にあたっては、次の空欄であるＮｏ．のレコードに新規登録するか、既に登録済みであるレコードに上書き登録するかを選択可能である。この発明にかかる方法では、一件のレコードのみに限定して利用者の理解を簡便にしてもよいし、後述するような手順により、登録するセッションＮｏ．を電話機１１から指定可能でもよい。「接続先名」は基本的にはＩＳＰ事業者名として判別できる文字列である。ただし、同一のＩＳＰ事業者について、異なるユーザ名でのアカウントが登録される場合もあり、その場合には個々のレコードを区別できるように接続先名に通し番号を付与してもよい。「ユーザ名」と「接続パスワード」は当該ＩＳＰ事業者に対して接続する際の認証に用いるユーザ名とパスワードの組み合わせである。
【００３７】
ゲートウェイ装置１２は、ＩＳＰサーバ群１６が有する接続認証サーバ４２に対して上記ユーザ名及び接続パスワードにより接続要求を行う接続認証制御部２５を有する。具体的には、PPPoE（Point-to-Point Protocol over Ethernet（登録商標））サーバである接続認証サーバ４２に対してPPPoEによる認証を行う例が挙げられるが、必ずしもこれに限定されない。この発明では自動設定機能部２２が設定情報保存データベース２４に必要な値を揃えた上で、接続認証制御部２５に上記の設定情報保存データベース２４のレコードを受け渡して、自動的な接続認証を行う。
【００３８】
上記の事業者サーバ群１５としては、ＤＨＣＰサーバ３１、ＳＩＰサーバ３２、遠隔設定指示部３３、接続先管理データベース３４を有する。これらのサーバとして定義する機能は一部又は全部が一つの物理サーバに纏められていてもよいし、個々のサーバに分かれていてもよい。また、それぞれの機能部が複数の物理サーバによって処理されるものでもよい。
【００３９】
ＤＨＣＰサーバ３１は、ゲートウェイ装置１２にＩＰアドレスと契約者固定番号を付与する。ＩＰアドレスの付与は通常のＤＨＣＰサーバと同様の機能である。契約者固定番号は、通信事業者が管理する個々の契約者の回線に固定した番号を付与する。
【００４０】
ＳＩＰサーバ３２は、ゲートウェイ装置１２のＳＩＰ制御部２３との間でＳＩＰ接続を行い、ＳＩＰプロトコルによるＩＰ電話の発呼、着呼を行える一般的な機能を有するとよい。この発明では遠隔設定指示部３３とゲートウェイ装置１２との間のＩＰ電話のセッションを確立し、この間の通信経路を作る。具体的にはＩＮＶＩＴＥやＢＹＥなどの処理を行う。
【００４１】
遠隔設定指示部３３は、ＳＩＰサーバ３２によってゲートウェイ装置１２との間に確立した通信経路を介して、接続シーケンスの進行段階に応じて、発呼した電話機１１へ音声ガイダンスにより所定の番号の押下送信を指示する。ここで、接続シーケンスの進行段階は、ゲートウェイ装置１２の自動設定機能部２２がＳＩＰプロトコルを用いて指定した変数などにより、どの段階まで進んでいるかを判断し、それぞれの段階で必要な情報を契約者が入力できるように音声ガイダンスを行う。具体的には、例えば次のように行う。まず通話状態が確立した第一段階で、この発明のための信号であることを認識しかつ段階を判別するための特番に続いて、接続するＩＳＰ業者を判別するための接続先指定番号を入力することを求めるＩＳＰ指定指示手段を実行する。ここで特番とは、例えば＃の後に段階を示す番号（例、第一段階では「０１」、第二段階では「０２」……のようにする）である。この後に入力される番号が接続先指定番号として、上記の自動設定機能部で認識される。次に、自動設定機能部２２が接続先であるＩＳＰ事業者のアカウント情報データベース４１のアドレスを取得し、各ＩＳＰへのユーザ名等を問い合わせる第二段階で、特番に続いて、契約した契約者自身であることを確認するために、契約に伴ってＩＳＰ事業者が発行して通知済みである上記契約時設定識別番号を入力することを求める契約確認指示手段を実行する。また、必要によっては第三段階として、必要なユーザ名や接続パスワードなどの情報が揃った段階で、設定情報保存データベース２４のどのレコードに入力するかを指示するナンバー指定指示手段を実行する。さらに、最後の段階として、インターネット接続が確立したことを確認できたら、その旨を音声で通知するとともに呼を終了する通話終了手段を実行する。
【００４２】
接続先管理データベース３４は、通信事業者が仲介するＩＳＰ事業者について、そのＩＳＰ事業者がこの発明にかかる方法の一部を提供するサーバであるアカウント情報データベース４１のアドレスを、ゲートウェイ装置１２からの問い合わせに従って返答することができるサーバである。実際にこの機能を提供するのは当該データベースを利用可能なサーバであるが、説明を簡便にするため接続先管理データベース３４として表記する。具体的には、上記遠隔設定指示部３３による上記ＩＳＰ指定指示手段に応じて電話機１１から入力された接続先指定番号を変数として含む問い合わせが、自動設定機能部２２により中継されて、接続先管理データベース３４に到達する。変数で指定された接続先指定番号に対応するレコードを検索し、その値となる接続先名、アカウント情報データベース４１のアドレスを返す。また、当該アカウント情報データベース４１が、デフォルトではないＳＱＬクエリを利用する場合には、当該アカウント情報データベース４１に対応したクエリ文も併せて返すと望ましい。これを実現する接続先管理データベース３４のテーブルの例を図３に示す。
【００４３】
インターネット接続サービスを提供するＩＳＰ事業者が提供するＩＳＰサーバ群１６は、アカウント情報データベース４１と接続認証サーバ４２とを有する。またこれらの他に、ＩＳＰ事業者が独自のサービスを提供するためのその他のサーバを有していてもよい。
【００４４】
アカウント情報データベース４１は、サービス提供先であるユーザの契約者固定番号及び契約時設定識別番号と、当該ユーザに割り当てるユーザ名及び接続パスワードとを関連付けて応答可能に登録する。実際にこの機能を提供するのは当該データベースを利用可能なサーバであるが、説明を簡便にするためアカウント情報データベース４１としてまとめて表記する。このアカウント情報データベース４１のそれぞれのレコードは、ＩＳＰ事業者が契約したユーザごとに登録される。このアカウント情報データベース４１のテーブルの例を図４に示す。この発明を利用するユーザは申込の際に、ＩＰ電話が使える自宅の契約者固定番号を通知するとともに、その後で自らこの発明にかかる方法により簡便にインターネット接続設定を行うサービスを受けるにあたっての認証確認に用いる任意の上記契約時設定識別番号をも通知する。ＩＳＰ事業者はこれらの番号をまとめて登録する。アカウント情報データベース４１は、上記の自動設定機能部２２のアカウント情報取得手段による上記契約者固定番号と上記契約時設定識別番号との組合せを受信したら、それが自身のデータベースのレコードのいずれかと一致しているか否かを判断する、契約番号照合手段を実行する。送信されてきた上記契約者固定番号と一致するレコードが無い場合は当然にエラーを返す。また、送信されてきた上記契約者固定番号が一致するレコードがあっても、上記契約時設定識別番号が一致しない場合もエラーを返す。上記契約者固定番号と上記契約時設定識別番号との両方が一致するレコードがあった場合に、当該レコードのユーザ名と接続パスワードとを自動設定機能部２２へ返す認証情報告知手段を実行する。単に固定電話番号だけではなりすましや誤認による登録の可能性があるが、上記契約時設定識別番号との一致を確認することで、それらの問題を防止することができる。なお、上記契約時設定識別番号は偶然に一致する可能性を十分に低くすることが求められるため、図４に示すように４桁以上の数値であると好ましい。
【００４５】
接続認証サーバ４２は、ゲートウェイ装置１２の接続認証制御部２５からの接続要求に対してインターネット接続認証を行う接続認証手段を実行する。この接続要求で送信されるユーザ名と接続パスワードが、ＩＳＰ事業者が発行する正規のものであると確認できれば、それを認証して、当該ゲートウェイ装置１２のインターネット接続を行う。このとき確認には、アカウント情報データベース４１のデータをそのまま用いてもよいし、処理軽量化のために別のサーバにユーザ名及び接続パスワードを抽出したデータベース（図示せず）を設けて、そのデータベースにより認証してもよい。認証の仕組みは一般的なPPPoEを利用することができる。
【００４６】
これらＩＳＰサーバ群１６と事業者サーバ群１５とはいずれも事業者ネットワーク１４に属している。ゲートウェイ装置１２は接続認証サーバ４２での認証を経て、インターネット１７に接続可能となる。
【００４７】
このような構成からなるシステムを用いて、インターネット接続認証を行う手順の具体例を、図５〜図７のシーケンス図を用いて説明する。まず、この発明にかかるシステムにより、インターネット接続設定についてのサービスを受けようとする契約者の家庭において、ゲートウェイ装置１２をＡＤＳＬ回線や光回線に物理的に接続し、電源を入れ、起動させる（Ｓ１０１）。自動的に、ゲートウェイ装置１２が必要な設定値を取得するための上記初期登録手段を実行する（Ｓ１０２）。自動設定機能部２２はまず、ＤＨＣＰサーバ３１に対して、自分のＩＰアドレスと、ＩＰ電話として動作するために必要な上記契約者固定番号との取得要求を送信する（Ｓ１０２ａ）。ＤＨＣＰサーバ３１はこの取得要求に対してそれらの設定情報を通知する（Ｓ１０２ｂ）。このとき、併せてＤＮＳサーバのアドレスなどその他の必要な情報も取得する。自動設定機能部２２はこれらの情報を受けて、ゲートウェイ装置１２として保持し、IP電話のための設定保存を行う（Ｓ１０３）。具体的には、記憶部内に備えた設定情報保存データベース２４にこれを送信し（Ｓ１０３ａ）、設定情報保存データベース２４は中に確保した記憶領域に、自身のＩＰアドレスや契約者固定番号等の情報を登録する（Ｓ１０３ｂ）。既に以前の値がある場合は登録情報を更新する。登録又は更新が完了したら、設定情報保存データベース２４はその旨を自動設定機能部２２へ通知する（Ｓ１０３ｃ）。続いて、この登録した情報を用いて、ＩＰ電話を使用可能にする利用登録を行う（Ｓ１０４）。自動設定機能部２２は、ＳＩＰ制御部２３に対して、利用登録を行う旨の指示を出す（Ｓ１０４ａ）。ＳＩＰ制御部２３は、「ＳＩＰ  ＲＥＧＩＳＴＥＲ」による利用登録をＳＩＰサーバ３２に対して送信する（Ｓ１０４ｂ）。これにより、ゲートウェイ装置１２及びこれに繋がる電話機１１はＩＰ電話による通話が可能な状態となる。ここまでは自動的に処理が進む。なお、この状態ではまだ遠隔設定指示部３３と通話状態にはなっていない。また、ＳＩＰサーバ３２のアドレスは、ゲートウェイ装置１２がデフォルトで有している値を利用するとよい。
【００４８】
以上のようにＩＰ電話が使用可能になった状態で、契約者はＩＳＰ事業者から予め封書やハガキなどで通知されたＩＳＰ事業者の遠隔設定指示部３３へ通じる電話番号へ架電することで接続のための処理が開始となる（Ｓ１１１）。電話機１１からの発信要求はゲートウェイ装置１２のＳＩＰ制御部２３へ送られ（Ｓ１１１ａ）、ＳＩＰ制御部２３はこれを受けて遠隔設定指示部３３宛に発信する（Ｓ１１２）。具体的には、ＳＩＰサーバ３２に対して、遠隔設定指示部３３の電話番号を指定してセッション確立要求（ＳＩＰ  ＩＮＶＩＴＥ）を送信する（Ｓ１１２ａ）。ＳＩＰサーバ３２はこのセッション確立要求を遠隔設定指示部３３へ中継する（Ｓ１１２ｂ）。なお当然に、遠隔設定指示部３３は予めＳＩＰサーバ３２に対して利用登録はされている。遠隔設定指示部３３は一旦呼び出し（ＳＩＰ  １８０  Ｒｉｎｇｉｎｇ）をＳＩＰサーバ３２に返し（Ｓ１１２ｃ）、ＳＩＰサーバ３２はこれをＳＩＰ制御部２３に渡す（Ｓ１１２ｄ）。ただしこの呼び出しは単にＳＩＰの処理上行われる処理であり、実際には遠隔設定指示部３３は自動的にこの呼び出しを着信させる（Ｓ１１３）。このため、すぐに通話ＯＫの旨（ＳＩＰ  ２００  ＯＫ）をＳＩＰサーバ３２に渡し（Ｓ１１３ａ）、ＳＩＰサーバ３２はこれをＳＩＰ制御部２３に渡す（Ｓ１１３ｂ）。ＳＩＰ制御部２３は確認の応答通知（ＳＩＰ  ＡＣＫ）をＳＩＰサーバ３２に返し（Ｓ１１３ｃ）、ＳＩＰサーバ３２はこれを遠隔設定指示部３３に返す（Ｓ１１３ｄ）。以上により、ゲートウェイ装置１２を介して、電話機１１と遠隔設定指示部３３が通話状態となる。
【００４９】
遠隔設定指示部３３は、通話状態が確立したら、その電話機１１に対して音声ガイダンスを送信する上記ＩＳＰ指定指示手段を実行する（Ｓ１２１、Ｓ１２１ａ）。音声ガイダンスの内容は、当該ゲートウェイ装置１２が接続しようとするＩＳＰ事業者を判別するための上記接続先指定番号の入力を求めることである。具体的には、例えば「右下の♯ボタンの後に０１を押し、続いてお手元の書類に書かれた○桁の業者識別番号を押して下さい」のように伝達する。音声は録音でもよいし、機械合成音声でもよい。ここで、機能キーである「♯」の後に、この発明にかかる手順の進行度に合わせた番号である特番を入れておくことで、その後に続く数値が上記接続先指定番号であることが容易に判別可能である。
【００５０】
これを聞いた契約者は、音声ガイダンスで指示された通りに、進行度に合わせた特番の後に、ＩＳＰ事業者の判別に用いる２桁から４桁程度の接続先指定番号を入力する（Ｓ１２２）。この入力された番号が、特番とともに送信されるが（Ｓ１２２ａ）、ゲートウェイ装置１２はそのまま遠隔設定指示部３３に送信するのではなく、自動設定機能部２２が通話中の信号をキャプチャする形で取得する特番取得手段を実行する（Ｓ１２２ｂ）。ただし、全ての信号をキャプチャすることは現実的ではないため、上記の特番に該当する信号が検出された場合のみ、それに続く番号を取得するようにするとよい。
【００５１】
上記接続先指定番号を取得したゲートウェイ装置１２の自動設定機能部は、この接続先指定番号に対応したＩＳＰ事業者が管理するアカウント情報データベース４１のアドレスを取得する上記接続先アドレス取得手段を実行する（Ｓ１２３）。具体的にはまず、ＨＴＴＰ制御部２１に対して、通信事業者の接続先管理データベース３４のアドレスを宛先として、上記接続先指定番号を変数として含む取得要求をＨＴＴＰ送信するように指示する（Ｓ１２３ａ）。なお、接続先管理データベース３４のアドレスは、予めゲートウェイ装置１２に保持させておく。ＨＴＴＰ制御部２１は、ＨＴＴＰにて定義されるｐｏｓｔメソッドの変数として上記接続先指定番号を含めて、接続先管理データベース３４のアドレスを宛先としてリクエストを送信する（Ｓ１２３ｂ）。接続先管理データベース３４は、このリクエストを受けて、当該接続先指定番号に対応するアカウント情報データベース４１のアドレスや、必要に応じて対応するクエリ文を含めたＨＴＴＰの返答をＨＴＴＰ制御部２１に送信する（Ｓ１２３ｃ）。ＨＴＴＰ制御部２１はこの返答を受信したら、そこに含まれるアカウント情報データベース４１のアドレスやその他の接続先についての情報を自動設定機能部２２へ渡す（Ｓ１２３ｄ）。
【００５２】
ここまでのステップにより、自動設定機能部２２は、アカウント情報データベース４１のアドレスを取得することで、ＩＳＰ事業者のサーバに対してアクセスできる状態になった。しかし、ゲートウェイ装置１２自体は、ＩＳＰ事業者からユーザ名と接続パスワードとを受信するための権限を持たない。このために、契約者の入力を必要とする。そこで、電話機１１との通話状態を継続中である遠隔設定指示部３３からの音声ガイダンスを求めることになる。なお、自動設定機能部２２が音声ガイダンスを行っても良いが、その場合はゲートウェイ装置１２が担うリソースが大きくなり、音声ガイダンスの内容変更も難しくなるため、遠隔設定指示部３３が担う方が、運用しやすい。そこで一旦、アカウント情報データベース４１のアドレスを取得するところまで処理が進んだ旨を、遠隔設定指示部３３に対して送信する（Ｓ１２４）。具体的には、ＳＩＰ制御部２３を介して通知を伝達し（Ｓ１２４ａ）、ＳＩＰサーバ３２から（Ｓ１２４ｂ）遠隔設定指示部３３に対して（Ｓ１２４ｃ）、接続先のＩＳＰ事業者の情報を取得する段階まで進行度が進んだことを通知する上記進行度通知手段を実行する。ここでは、上記進行度通知手段によって伝達する一連の進行度のうち、第一段階の終了となる。この第一段階である旨を指示できるように、ＳＩＰ  ＩＮＶＩＴＥのパラメータに対して、定義された変数を含めて送信する。
【００５３】
上記の第一段階の終了であることを通知された遠隔設定指示部３３は、各ＩＳＰ事業者へのユーザ名等を問い合わせる第二段階で、特番に続いて、契約した契約者自身であることを確認するために、契約に伴ってＩＳＰ事業者が発行して通知済みである上記契約時設定識別番号を入力することを契約者の電話機１１へ音声ガイダンスで求める契約確認指示手段を実行する（Ｓ１２５、Ｓ１２５ａ）。音声ガイダンスの内容は、当該ゲートウェイ装置１２が接続しようとするＩＳＰ事業者と契約する際に指定した、あるいはＩＳＰ事業者から指定された上記契約時設定識別番号の入力を求めることである。具体的には、例えば「右下の♯ボタンの後に０２を押し、続いて契約時に登録された○桁のパスワード番号を押して下さい」のように伝達する。音声は録音でもよいし、機械合成音声でもよい。ここでも、機能キーである「♯」の後に、この発明にかかる手順の進行度に合わせた番号である特番を入れておくことで、その後に続く数値が、上記で既に送信した接続先指定番号とは区別される上記契約時設定識別番号であることが容易に判別可能である。
【００５４】
これを聞いた契約者は、音声ガイダンスで指示された通りに、進行度に合わせた特番の後に、ＩＳＰ事業者が契約者であることを認証するために用いる２桁から４桁程度の契約時設定識別番号を入力する（Ｓ１２６）。この入力された番号が、特番とともに送信されるが（Ｓ１２６ａ）、ゲートウェイ装置１２はそのまま遠隔設定指示部３３に送信するのではなく、自動設定機能部２２が通話中の信号をキャプチャする形で取得する特番取得手段を実行する（Ｓ１２６ｂ）。ここでの処理は上記のＳ１２２ｂでのキャプチャと同じである。
【００５５】
上記契約時設定識別番号を取得したゲートウェイ装置１２の自動設定機能部２２は、アカウント情報データベース４１のアドレスを宛先として、ゲートウェイ装置１２自身に割り当てられた上記契約者固定番号と電話機１１から指定された契約時設定識別番号とを送信して、上記ユーザ名及び接続パスワードを取得する上記アカウント情報取得手段を実行する（Ｓ１２７）。
具体的にはまず、ＨＴＴＰ制御部２１に対して、既にＳ１２３ｄで取得した通信事業者のアカウント情報データベース４１のアドレスを宛先として、上記契約者固定番号及び上記契約時設定識別番号の組み合わせを変数として含む取得要求をＨＴＴＰ送信するように指示する（Ｓ１２７ａ）。ＨＴＴＰ制御部２１は、ＨＴＴＰにて定義されるｐｏｓｔメソッドの変数として上記接続先指定番号を含めて、アカウント情報データベース４１のアドレスを宛先としてリクエストを送信する（Ｓ１２７ｂ）。アカウント情報データベース４１は、この上記契約者固定番号と上記契約時設定識別番号との組合せを含むリクエストを受信したら、それが自身のデータベースのレコードのいずれかと一致しているか否かを判断する、上記契約番号照合手段を実行する（Ｓ１２７ｃ）。図示しないが、存在しない場合はエラーを返す。上記契約者固定番号と上記契約時設定識別番号のどちらもが一致するレコードが存在すれば、当該レコードに対応する、ユーザ名と接続パスワードとを含めたＨＴＴＰの返答をＨＴＴＰ制御部２１に送信する上記認証情報告知手段を実行する（Ｓ１２７ｄ）。ＨＴＴＰ制御部２１はこの返答を受信したら、そこに含まれるユーザ名と接続パスワードを自動設定機能部２２へ渡す（Ｓ１２７ｅ）。
【００５６】
ここで、自動設定機能部２２は、デフォルトの処理として、設定情報保存データベース２４の最初のレコードに上記のユーザ名と接続パスワードを登録してもよい（後述のＳ１３１〜）。その場合、次の工程のうち、Ｓ１２８番台〜Ｓ１３０番台のフローは省略することとなる。
【００５７】
自動設定機能部２２が、ゲートウェイ装置１２が保持する設定情報保存データベース２４に登録するレコードの番号を契約者が選択できるように処理する場合には、さらに契約者の入力を必要とする。そこで、上記Ｓ１２４番台及びＳ１２５番台と同様に、電話機１１との通話状態を継続中である遠隔設定指示部３３からの音声ガイダンスを求める。そこで、ユーザ名と接続パスワードとを取得するところまで処理が進んだ旨を、一旦、遠隔設定指示部３３に伝達する（Ｓ１２８）。具体的には、ＳＩＰ制御部２３を介して通知を伝達し（Ｓ１２８ａ）、ＳＩＰサーバ３２から（Ｓ１２８ｂ）遠隔設定指示部３３に対して（Ｓ１２８ｃ）、接続先のＩＳＰ事業者に対するユーザ名と接続パスワードとを取得する段階まで進行度が進んだことを通知する上記進行度通知手段を実行する。ここでは、上記進行度通知手段によって伝達する一連の進行度のうち、第二段階の終了となる。この第二段階である旨を指示できるように、ＳＩＰ  ＩＮＶＩＴＥのパラメータに対して、定義された変数を含めて送信する。
【００５８】
上記の第二段階の終了であることを通知された遠隔設定指示部３３は、ゲートウェイ装置１２の設定情報保存データベース２４への登録番号を問い合わせる第三段階で、特番に続いて、設定情報保存データベース２４のどのナンバーのレコードに入力するかの登録番号を契約者の電話機１１へ指示するナンバー指定指示手段を実行する（Ｓ１２９，Ｓ１２９ａ）。音声ガイダンスの内容は、当該ゲートウェイ装置１２が有する設定情報保存データベース２４のどの番号として、当該ＩＳＰ事業者を用いたインターネット接続設定を登録するかである。単にレコードのナンバーだけでなく、ナンバーの順に接続の優先順が設定されていてもよい。この音声ガイダンスは具体的には、例えば「右下の♯ボタンの後に０３を押し、続いて何番目にこのプロバイダへの設定を利用するかを決めた番号を押して下さい」のように伝達する。音声は録音でもよいし、機械合成音声でもよい。ここでも、機能キーである「♯」の後に、この発明にかかる手順の進行度に合わせた番号である特番を入れておくことで、その後に続く数値が、上記で既に送信した接続先指定番号と契約時設定識別番号とは区別される上記登録番号であることが容易に判別可能である。
【００５９】
これを聞いた契約者は、音声ガイダンスで指示された通りに、進行度に合わせた特番の後に、何番目のレコードとして記録するかを示す１桁から２桁程度の接続先セッションＮｏ．を入力する（Ｓ１３０）。この入力された番号が、特番とともに送信されるが（Ｓ１３０ａ）、ゲートウェイ装置１２はそのまま遠隔設定指示部３３に送信するのではなく、自動設定機能部２２が通話中の信号をキャプチャする形で取得する特番取得手段を実行する（Ｓ１３０ｂ）。ここでの処理も上記のＳ１２２ｂでのキャプチャと同じである。
【００６０】
上記のレコードのナンバーの入力の有無に関わらず、自動設定機能部２２は、上記のステップで取得したユーザ名及び接続パスワードをゲートウェイ装置１２の中の設定情報保存データベース２４に保存して、このデータを以後のインターネット接続認証に使用できるようにする上記設定登録手段を実行する（Ｓ１３１）。具体的には、記憶部内に備えた設定情報保存データベース２４にこれを送信し（Ｓ１３１ａ）、設定情報保存データベース２４は中に確保した記憶領域に、ユーザ名及び接続パスワード等の情報を登録する（Ｓ１３１ｂ）。このとき、上記のレコードのナンバーが指定されていなければ、デフォルトで用いられる最優先のレコードとして登録し、上記のレコードのナンバーが指定されていれば、そのナンバーに対応する番号のレコードとして登録する。また、ユーザ名等とともに接続先名となるＩＳＰ事業者名が判別可能な文字列があれば併せて登録しておくと、後日にレコードを確認する際の作業が容易になる。また、デフォルトとなるレコードや、指定されたナンバーのレコードに、既に以前の値がある場合は情報を更新する。登録又は更新が完了したら、設定情報保存データベース２４はその旨を自動設定機能部２２へ通知する（Ｓ１３１ｃ）。
【００６１】
以上で自動的なユーザ名の取得とその登録処理は完了する。以後は、この登録した情報を用いて、インターネット接続認証処理を行う。すなわち、二度目以降の電源ｏｎ時には自動設定機能部２２が設定情報保存データベース２４からデフォルトとなるユーザ名とパスワードとを読み出した上で、次のＳ１３２番台の処理から始まる。
【００６２】
自動設定機能部２２は、上記の取得したユーザ名と接続パスワードとを用いて、ＩＳＰ事業者へのインターネット接続処理を行わせる（Ｓ１３２）。自動設定機能部２２は、接続認証制御部２５にユーザ名と接続パスワードとを送信して接続要求を行う（Ｓ１３２ａ）。これを受け取った接続認証制御部２５は（Ｓ１３２ｂ）、当該契約者が契約したＩＳＰ事業者が管理する接続認証サーバ４２に対して、上記ユーザ名と接続パスワードにより接続認証を行う（Ｓ１３２ｃ）。なお、接続認証サーバ４２はＩＳＰ事業者ごとに異なるが、事業者ネットワーク１４内に設けたルータ（図示せず）が、ユーザ名に含まれるドメイン情報を読み取ることで振り分ける仕組みを設けておくとよい。これにより、ゲートウェイ装置１２側では特に宛先の違いを意識することなく、汎用の接続認証サーバ４２として登録済みのアドレスを宛先として送信すればよい。ここでの認証方法としては例えば一般的なＰＰＰｏＥを用いることができる。接続要求を受け取った接続認証サーバ４２は、これを認証して、接続完了通知を返送する（Ｓ１３２ｄ）。以上で、ゲートウェイ装置１２及びこれに接続する端末１０は、インターネット１７に接続できるようになり、インターネット上のコンテンツサーバ５１によるサービスを受けられるようになる。
【００６３】
ただし、この段階ではまだ遠隔設定指示部３３と電話機１１との通話状態は続いており、電話中の契約者はそのままではインターネット接続に成功したことがわからない。そこで、最終段階として終了のためのステップを実行する（Ｓ１３３）。具体的には、ＳＩＰ制御部２３を介して通知を伝達し（Ｓ１３３ａ）、ＳＩＰサーバ３２から（Ｓ１３３ｂ）遠隔設定指示部３３に対して（Ｓ１３３ｃ）、接続先のＩＳＰ事業者へのインターネット接続が完了したことを通知する上記進行度通知手段を実行する。ここでは、上記進行度通知手段によって伝達する一連の進行度のうち、第三段階の終了となる。この第三段階である旨を指示できるように、ＳＩＰ  ＩＮＶＩＴＥのパラメータに対して、定義された変数を含めて送信する。
【００６４】
遠隔設定指示部３３は、最後の段階として、インターネット接続が確立したことを確認できたら、その旨を音声で通知するとともに呼を終了する通話終了手段を実行する（Ｓ１３４）。具体的には、まず電話機１１へ音声ガイダンスでインターネット接続処理が完了した旨を伝達する（Ｓ１３４ａ）。これで通話を維持すべきステップが全て終了したので、ＳＩＰサーバ３２に切断（ＳＩＰ  ＢＹＥ）を通知し（Ｓ１３４ｂ）、ＳＩＰサーバ３２はＳＩＰ制御部２３に切断（ＳＩＰ  ＢＹＥ）を通知する（Ｓ１３４ｃ）。ＳＩＰ制御部２３はＳＩＰサーバ３２に応答通知（ＳＩＰ  ２００  ＯＫ）を返し（Ｓ１３４ｄ）、ＳＩＰサーバ３２は遠隔設定指示部３３に応答通知（ＳＩＰ  ２００  ＯＫ）を返す（Ｓ１３４ｅ）。以上で通話状態が終了し、一連のシーケンスが終了する。
【００６５】
以上のようなステップにより、契約者は端末１０の画面やキーボードを特に操作することなく、電話機１１からの通話と１０キー入力のみで、ゲートウェイ装置１２を用いたＩＳＰ事業者によるインターネット接続サービスを享受することができる。
【００６６】
なお、上記のシーケンスのいずれかでエラーが生じて接続に失敗した場合は、上記通話終了手段は接続に失敗したのでやり直しを求める旨を音声ガイダンスで伝達することになる。また、上記進行度通知手段による遠隔設定指示部３３への伝達ごとに進行度をチェックし、そこまでの過程でエラーが生じるのであれば、その直前の上記特番の押下を求める音声ガイダンスの送信からやり直すようにしてもよい。
【００６７】
この発明を構成するゲートウェイ装置１２は、電話機１１から入力された特番をキャプチャし、この特番により行う処理を分岐させることでこの発明を実施することができる。ゲートウェイ装置１２の処理分岐とその周辺の処理フローを抜き出したものの例を図８に示す。
【００６８】
前提として（Ｓ２０１）、最初に遠隔設定指示部３３からの音声ガイダンスが電話機１１に送られる（Ｓ１２１ａ、Ｓ１２５ａ、Ｓ１２９ａ、Ｓ２０２）。電話機１１を操作する契約者により、特番と、場合によってそれに続く番号とが送信される（Ｓ１２２、Ｓ１２６、Ｓ１３０、Ｓ２０３）。ゲートウェイ装置１２の自動設定機能部２２は、この送信された番号のうち、例えば最初の３桁を読み取る（Ｓ２０４）。この番号によって処理が分岐する。当該３桁が進行の第一段階を示す「＊０１」だった場合（Ｓ２０５→Ｙｅｓ）、それに続く番号である上記接続先指定番号により、接続先管理データベース３４を参照して、契約したＩＳＰ事業者が管理するデータベース（４１）のアドレスを取得する上記接続先アドレス取得手段を実行する（Ｓ２０６）。この後、自動設定機能部は、第一段階である接続先情報の取得が完了した旨の通知を遠隔設定指示部３３へ送る（Ｓ１２４〜、Ｓ２０７）。
【００６９】
当該３桁が進行の第二段階を示す「＊０２」だった場合（Ｓ２１１→Ｙｅｓ）、それに続く番号である上記契約時設定識別番号とともに、ゲートウェイ装置１２が保有する上記契約者固定番号をアカウント情報データベース４１に送り、認証を受けて、ユーザ名と接続パスワードとを取得する（Ｓ２１２）。この後、自動設定機能部２２は、第二段階であるユーザ名と接続パスワードの取得が完了した旨の通知を遠隔設定指示部３３へ送る（Ｓ１２８〜、Ｓ２１３）。
【００７０】
当該３桁が進行の第三段階を示す「＊０３」だった場合（Ｓ２２１→Ｙｅｓ）、それに続く番号であるレコード番号により、設定情報保存データベース２４において登録するテーブル中の参照番号のレコードに、取得したユーザ名と接続パスワードとを登録する（Ｓ２２２）。この後、自動設定機能部２２は、その後にインターネット接続が完了した旨の通知を遠隔設定指示部３３へ送る（Ｓ１３３〜、Ｓ２２３）。
【００７１】
一方で、遠隔設定指示部３３も、上記進行度通知手段によって伝達される進行度の値によって送信する音声ガイダンスと受信するデータの処理を変更する。この処理分岐とその周辺の処理フローを抜き出したものの例を図９に示す。ここでは、ＳＩＰプロトコルのオプションである帯域情報などの項目に上記の進行度を数値にして送信した例を挙げて説明する。
【００７２】
通話中に（Ｓ２５１）、ゲートウェイ装置１２から進行度の値が送られてきて（Ｓ２５２）、その進行度が第一段階を示すものであれば（Ｓ２５３→Ｙｅｓ）、音声ガイダンスとして、ＩＳＰ事業者との契約において設定された上記契約時設定識別番号を押すように告知する（Ｓ２５４）。その進行度が第二段階を示すものであれば（Ｓ２６１→Ｙｅｓ）、音声ガイダンスとして、設定情報保存データベース２４への登録時におけるナンバーを押すように告知する（Ｓ２６２）。その進行度が第三段階を示すものであれば（Ｓ２７１→Ｙｅｓ）、音声ガイダンスとして設定が無事終了した旨を告知し（Ｓ２７２）た上で、通話切断処理を行う（Ｓ２７３）。もし、進行度がいずれでもない場合は（Ｓ２７１→Ｎｏ）エラーとなり、特に音声ガイダンスを行わずに初期状態に戻る（Ｓ２７５）。
【００７３】
この発明にかかるゲートウェイ装置１２を含む接続自動化システムを実行した動作例を図１０及び１１を用いて説明する。まず（Ｓ３０１）、物理的に回線に繋いだゲートウェイ装置１２の電源を投入し、ＩＰ電話を利用可能にする（Ｓ３０２、Ｓ１０１〜Ｓ１０４ｂ）。ゲートウェイ装置１２に繋がった電話機１１からの発呼を受けて、上記通信事業者が管理するサーバである遠隔設定指示部３３の電話番号へＩＰ電話発信し、通話状態を確立する（Ｓ３０３、Ｓ１１１〜Ｓ１１３ｄ）。
【００７４】
この通話状態で遠隔設定指示部３３は電話機１１へ、段階を示す特番（＃０１）に続いて、上記ＩＳＰ事業者を指定する上記接続先指定番号（例、００１）を押下するよう音声ガイダンスで案内する（Ｓ３０４，Ｓ１２１〜Ｓ１２１ａ）。この後、ゲートウェイ装置１２の自動設定機能部２２は電話機１１から送信された信号をキャプチャする（Ｓ３０５、Ｓ１２２〜Ｓ１２２ｂ）。自動設定機能部２２は、この信号の４〜６桁目をキーとして、接続先管理データベース３４に対して、アカウント情報データベース４１のアドレスと、アカウント情報取得用クエリとを問い合わせる（Ｓ３０６、Ｓ１２３〜Ｓ１２３ｂ）。
接続先管理データベース３４は、当該キーに該当するレコードがあるかを検索する。あれば（Ｓ３０７→Ｙｅｓ）、当該レコードの上記ＩＳＰ事業者のアカウント情報データベース４１のアドレスとクエリとを自動設定機能部２２に返却する（Ｓ３０８，Ｓ１２３ｃ〜Ｓ１２３ｄ）。自動設定機能部２２は取得完了を遠隔設定指示部３３に通知する（Ｓ１２４〜Ｓ１２４ｃ）。レコードがなければ（Ｓ３０７→Ｎｏ）接続先管理データベース３４は自動設定機能部２２にエラーを返す（Ｓ３０９，Ｓ１２３ｃ〜Ｓ１２３ｄの代わりにエラー通知）。エラーを受けた自動設定機能部２２は、取得失敗を遠隔設定指示部３３に通知する（Ｓ１２４〜Ｓ１２４ｃの代わりにエラー通知）。エラーを受けた遠隔設定指示部３３は、再び電話機１１へ、段階を示す特番（＃０１）に続いて、上記ＩＳＰ事業者を指定する上記接続先指定番号（例、００１）を押下するよう音声ガイダンスで案内する（Ｓ３０４，Ｓ１２１〜Ｓ１２１ａ）。以下、完了通知が遠隔設定指示部３３に到達するまで繰り返す。
【００７５】
上記の完了通知を受けた遠隔設定指示部３３は、引き続く通話状態で電話機へ、段階を示す特番（＃０２）に続いて、通話中のユーザがこの発明にかかる接続自動化システムのサービスを受ける契約者であることを確認するための、上記契約時設定識別番号（例、５６７８）を押下するよう音声ガイダンスで案内する（Ｓ３１１，Ｓ１２５〜Ｓ１２５ａ）。この後、ゲートウェイ装置１２の自動設定機能部２２は電話機１１から送信された信号をキャプチャする（Ｓ３１２、Ｓ１２６〜Ｓ１２６ｂ）。自動設定機能部２２は、この信号の４〜７桁目を上記契約時設定識別番号として抽出し、ゲートウェイ装置１２自身の上記契約者固定番号とともに、アカウント情報データベース４１に対して、ユーザ名と接続パスワードとを問い合わせる（Ｓ３１３、Ｓ１２７〜Ｓ１２７ｂ）。アカウント情報データベース４１は、上記契約者固定番号に該当するレコードがあるか検索し、その契約時設定識別番号が一致するレコードであるかを判断する（Ｓ３１４）。あれば（Ｓ３１４→Ｙｅｓ）、当該レコードのユーザ名と接続パスワードとを自動設定機能部２２に返却する（Ｓ３１５，Ｓ１２７ｃ〜Ｓ１２７ｄ）。自動設定機能部２２は取得完了を遠隔設定指示部３３に通知する（Ｓ１２８〜Ｓ１２８ｃ）。レコードがなければ（Ｓ３１４→Ｎｏ）アカウント情報データベース４１は自動設定機能部２２にエラーを返す（Ｓ３１６，Ｓ１２７ｃ〜Ｓ１２７ｄの代わりにエラー通知）。エラーを受けた自動設定機能部２２は、取得失敗を遠隔設定指示部３３に通知する（Ｓ１２８〜Ｓ１２８ｃの代わりにエラー通知）。エラーを受けた遠隔設定指示部３３は、再び電話機１１へ、段階を示す特番（＃０２）に続いて、通話中のユーザがこの発明にかかる接続自動化システムのサービスを受ける契約者であることを確認するための、上記契約時設定識別番号（例、５６７８）を押下するよう音声ガイダンスで案内する（Ｓ３１１，Ｓ１２５〜Ｓ１２５ａ）。以下、完了通知が遠隔設定指示部３３に到達するまで繰り返す。
【００７６】
引き続き、図１１を用いて説明する。上記の完了通知を受けた遠隔設定指示部３３は、引き続く通話状態で電話機へ、段階を示す特番（＃０３）に続いて、通話中のユーザがゲートウェイ装置１２にユーザ情報を登録するにあたり、何番目に登録するかを示す「接続先セッションNo.」（例、１）を押下するよう音声ガイダンスで案内する（Ｓ３２１，Ｓ１２９〜Ｓ１２９ａ）。この後、ゲートウェイ装置１２の自動設定機能部２２は電話機１１から送信された信号をキャプチャする（Ｓ３２２、Ｓ１３０〜Ｓ１３０ｂ）。自動設定機能部２２は、この信号の４桁目を上記接続先セッションＮｏ．として抽出し、ゲートウェイ装置１２自身の設定情報保存データベース２４に対して、当該接続先セッションＮｏ．に対応するナンバーのレコードについて、ユーザ名、接続パスワード、その他の情報の更新要求を行う（Ｓ３２３、Ｓ１３１〜Ｓ１３１ａ）。該当するレコードにデータがなければ（Ｓ３２４→Ｙｅｓ）、当該レコードのユーザ名と接続パスワードとその他の情報を登録更新する（Ｓ３３１、Ｓ１３１ｂ）。登録更新できれば完了通知を自動設定機能部２２に返却する（Ｓ１３１ｃ）。
該当するレコードにデータがあれば（Ｓ３２４→Ｎｏ）、設定情報保存データベース２４は自動設定機能部２２にその旨を通知する（Ｓ１３１ｃの代わりに通知）。自動設定機能部２２は遠隔設定指示部３３に、当該接続先セッションＮｏ．では既に設定が存在する旨の通知を行う（図７に対応記載無し）。遠隔設定指示部３３は電話機１１へ、上書きしてよい場合に押すキー（例、１）と、上書きしてはいけない場合に押すキー（例、０）を押下するよう音声ガイダンスで案内する（Ｓ３２５）。この後、ゲートウェイ装置１２の自動設定機能部２２は電話機１１から送信された信号をキャプチャする（Ｓ３２６）。自動設定機能部２２は、当該信号が上書きを許容する指定番号であれば，改めて設定情報保存データベース２４に対して、上書きしての更新要求を行う（Ｓ３２７→Ｙｅｓ）。設定情報保存データベース２４はユーザ名、接続パスワードを登録更新する（Ｓ３３１、Ｓ１３１ｂ）。登録更新できれば完了通知を自動設定機能部２２に返却する（Ｓ１３１ｃ）。自動設定機能部２２がキャプチャした信号が、上書きを許容しない指定番号であれば（Ｓ３２７→Ｎｏ）、そこで処理は失敗して終了する（Ｓ３３５）。なお、フローには図示しないが接続先セッションＮｏ．の入力を求める音声ガイダンスからやり直しても良い（Ｓ３２１）。
【００７７】
その後、自動設定機能部２２は、接続認証制御部２５に対して、登録したユーザ名と接続パスワードでの接続認証を指示し、接続認証制御部２５は接続認証サーバ４２に対して認証を行う（Ｓ３３２、Ｓ１３２〜Ｓ１３２ｄ）。上記のシーケンスが成功していれば、この認証が拒絶されることはなく、インターネット接続が確立する（Ｓ３３３）。
【符号の説明】
【００７８】
１０  端末
１１  電話機
１２  ゲートウェイ装置
１３  家庭内ネットワーク
１４  事業者ネットワーク
１５  事業者サーバ群
１６  ＩＳＰサーバ群
１７  インターネット
＜ゲートウェイ装置１２＞
２１  ＨＴＴＰ制御部
２２  自動設定機能部
２３  ＳＩＰ制御部
２４  設定情報保存データベース
２５  接続認証制御部
＜事業者サーバ群１５＞
３１  ＤＨＣＰサーバ
３２  ＳＩＰサーバ
３３  遠隔設定指示部
３４  接続先管理データベース
＜ＩＳＰサーバ群１６＞
４１  アカウント情報データベース
４２  接続認証サーバ（ＰＰＰｏＥサーバ）
＜インターネット１７＞
５１  コンテンツサーバ
【要約】
【課題】各家庭におけるインターネット接続を自動化する。
【解決手段】各家庭に設置する電話機１１と接続したゲートウェイ装置１２と、通信事業者の事業者ネットワーク１４内に設置された事業者サーバ群１５と、事業者ネットワーク１４に接続するＩＳＰ事業者が管理するＩＳＰサーバ群１６とを有し、事業者サーバ群１５は、電話機１１とＩＰ電話で接続し、上記ＩＰ電話による経路を介して電話機１１から押下された接続先指定番号により、契約者が接続しようとするＩＳＰ事業者を判別して、ゲートウェイ装置１２に当該ＩＳＰ事業者が管理する当該契約者が使用しようとするユーザ名と接続パスワードを有するアカウント情報データベースへ問い合わさせて、ゲートウェイ装置１２は上記問い合わせにより上記ユーザ名と接続パスワードを取得して、上記ＩＳＰサーバ群１６に対してインターネット接続認証を行う自動化システムを構築する。
【選択図】図１【図１】
0005925934.tif 000002
【図２】
0005925934.tif 000003
【図３】
0005925934.tif 000004
【図４】
0005925934.tif 000005
【図５】
0005925934.tif 000006
【図６】
0005925934.tif 000007
【図７】
0005925934.tif 000008
【図８】
0005925934.tif 000009
【図９】
0005925934.tif 000010
【図１０】
0005925934.tif 000011
【図１１】
0005925934.tif 000012